(57)【要約】【課題】板状部材の良好な密着性及び平面性を確保し、スクリーンに表示される画像の画質の悪化を防止する。【解決手段】板状部材１２、１３が積層状に配置されて成るスクリーン１１の相対する縁部をそれぞれ支持する第１の支持手段１６及び第２の支持手段２０と、スクリーンの少なくとも一方の外面に、軸方向が上記縁部に沿う方向で押し付けられる回転ローラー１４、１５とを設け、少なくとも一方の上記支持手段を、スクリーンの各板状部材毎に回転ローラーが回転する方向への張力を付与する複数の張力付与手段２１、２２によって構成した。【選択図】　　　　　図１
2004053638.tif 000002
【特許請求の範囲】
【請求項１】
複数の板状部材が積層状に配置されて成るスクリーンの支持構造であって、
スクリーンの相対する縁部をそれぞれ支持する第１の支持手段及び第２の支持手段と、
スクリーンの少なくとも一方の外面に、軸方向が上記縁部に沿う方向で押し付けられる回転ローラーとを備え、
少なくとも一方の上記支持手段を、スクリーンの各板状部材毎に回転ローラーが回転する方向への張力を付与する複数の張力付与手段によって構成した
ことを特徴とするスクリーンの支持構造。
【請求項２】
上記スクリーンを外部に臨ませるための開口部を有しスクリーンを取り囲むようにして配置される枠体を設け、
スクリーンが第１の支持手段及び第２の支持手段を介して枠体に保持され、
枠体に回転ローラーが支持された
ことを特徴とする請求項１に記載のスクリーンの支持構造。
【請求項３】
上記スクリーンを、それぞれ上記板状部材として設けたレンチキュラーレンズとフレネルレンズとによって構成した
ことを特徴とする請求項１に記載のスクリーンの支持構造。
【請求項４】
上記張力付与手段によって、スクリーンに下方への張力を付与するようにした
ことを特徴とする請求項１に記載のスクリーンの支持構造。
【請求項５】
上記複数の張力付与手段によって、各板状部材に互いに異なる方向への張力を付与するようにした
ことを特徴とする請求項１に記載のスクリーンの支持構造。
【請求項６】
上記回転ローラーを一対設け、
該一対の回転ローラーによってスクリーンをその外面側から挟み込むようにした
ことを特徴とする請求項１に記載のスクリーンの支持構造。
【請求項７】
光源部から出射された光を投射して画像を表示する投射型表示装置であって、
複数の板状部材が積層状に配置されて成るスクリーンと、
該スクリーンの相対する縁部をそれぞれ支持する第１の支持手段及び第２の支持手段と、
スクリーンの少なくとも一方の外面に、軸方向が上記縁部に沿う方向で押し付けられる回転ローラーとを備え、
少なくとも一方の上記支持手段を、スクリーンの各板状部材毎に回転ローラーが回転する方向への張力を付与する複数の張力付与手段によって構成した
ことを特徴とする投射型表示装置。
【請求項８】
上記スクリーンを外部に臨ませるための開口部を有しスクリーンを取り囲むようにして配置される枠体を設け、
スクリーンが第１の支持手段及び第２の支持手段を介して枠体に保持され、
枠体に回転ローラーが支持された
ことを特徴とする請求項７に記載の投射型表示装置。
【請求項９】
上記スクリーンを、それぞれ上記板状部材として設けたレンチキュラーレンズとフレネルレンズとによって構成した
ことを特徴とする請求項７に記載の投射型表示装置。
【請求項１０】
上記張力付与手段によって、スクリーンに下方への張力を付与するようにした
ことを特徴とする請求項７に記載の投射型表示装置。
【請求項１１】
上記複数の張力付与手段によって、各板状部材に互いに異なる方向への張力を付与するようにした
ことを特徴とする請求項７に記載の投射型表示装置。
【請求項１２】
上記回転ローラーを一対設け、
該一対の回転ローラーによってスクリーンをその外面側から挟み込むようにした
ことを特徴とする請求項７に記載の投射型表示装置。
【発明の詳細な説明】
【０００１】
【発明の属する技術分野】
本発明はスクリーンの支持構造及び投射型表示装置に関する。詳しくは、スクリーンに表示される画像の画質の悪化を防止する技術分野に関する。
【０００２】
【従来の技術】
複数の板状部材が積層されて成るスクリーン、例えば、レンチキュラーレンズとフレネルレンズとが積層されて成るスクリーンがあり、このようなスクリーンは光源部から出射された光を投射して画像を表示する投射型表示装置に設けられている。
【０００３】
投射型表示装置にあっては、スクリーンに良質な画像を表示するために、レンチキュラーレンズとフレネルレンズとの良好な密着性及びそれぞれの良好な平面性を確保する必要がある。
【０００４】
従来の投射型表示装置においては、レンチキュラーレンズとフレネルレンズとを密着させるために、予めレンチキュラーレンズとフレネルレンズとを互いに中央部が近づく方向に反らしておき、両者の反りの頂点同士を突き合わせると共に、例えば、粘着テープ等を用いてレンチキュラーレンズとフレネルレンズの外周部同士を貼り合わせるようにしている。
【０００５】
【発明が解決しようとする課題】
ところが、上記した従来の投射型表示装置にあっては、温度変化や湿度変化等の外部環境の変化によってレンチキュラーレンズとフレネルレンズが膨張又は収縮してしまうと、皺や弛みが発生してスクリーンに部分的な浮きが生じ、レンチキュラーレンズとフレネルレンズとの密着性及び平面性が低下し、スクリーンに表示される画像が多重像となる等の画質の悪化を引き起こしていた。
【０００６】
特に、レンチキュラーレンズとフレネルレンズは異なる材料によって形成されているため、両者の膨張率又は収縮率の違いにより密着性及び平面性が低下し易いという問題がある。
【０００７】
そこで、本発明は、板状部材の良好な密着性及び平面性を確保し、スクリーンに表示される画像の画質の悪化を防止することを課題とする。
【０００８】
【課題を解決するための手段】
本発明スクリーンの支持構造は、スクリーンの相対する縁部をそれぞれ支持する第１の支持手段及び第２の支持手段と、スクリーンの少なくとも一方の外面に、軸方向が上記縁部に沿う方向で押し付けられる回転ローラーとを設け、少なくとも一方の上記支持手段を、スクリーンの各板状部材毎に回転ローラーが回転する方向への張力を付与する複数の張力付与手段によって構成したものである。
【０００９】
本発明投射型表示装置は、複数の板状部材が積層状に配置されて成るスクリーンと、該スクリーンの相対する縁部をそれぞれ支持する第１の支持手段及び第２の支持手段と、スクリーンの少なくとも一方の外面に、軸方向が上記縁部に沿う方向で押し付けられる回転ローラーとを設け、少なくとも一方の上記支持手段を、スクリーンの各板状部材毎に回転ローラーが回転する方向への張力を付与する複数の張力付与手段によって構成したものである。
【００１０】
従って、本発明スクリーンの支持構造及び投射型表示装置にあっては、各板状部材に対して平面性を保持する方向への張力が常時付与される。
【００１１】
【発明の実施の形態】
以下に、本発明の詳細を添付図面を参照して説明する。
【００１２】
投射型表示装置１は、例えば、背面投射型の表示装置であり、筐体２の内部に所要の各部が配置されて成り、筐体２はリアケース３と枠体４が結合されて成る（図１参照）。
【００１３】
リアケース３は前方に開口された箱状に形成されている。
【００１４】
枠体４は後方に開口された浅い箱状に形成され、前面部５と該前面部５の周縁から突出された周面部６とを有している（図１及び図２参照）。周面部６は上壁部６ａと下壁部６ｂと側壁部６ｃ、６ｃとから成る。前面部５には矩形の大きな開口部５ａが形成されている。
【００１５】
リアケース３には図示しない光源を有する投射管７が配置され、該投射管７に結合器８を介して投射レンズ９が結合されている。投射管７及び投射レンズ９は、それぞれ赤色用、緑色用、青色用のものが３つずつ設けられている。リアケース３には反射板１０が配置されている。
【００１６】
枠体４にはスクリーン１１が配置され、該スクリーン１１の外周部を除く部分が開口部５ａから外部に臨まされている（図１参照）。スクリーン１１は、例えば、２枚の板状部材が積層状に配置されて成り、板状部材としてそれぞれレンチキュラーレンズ１２とフレネルレンズ１３が設けられている。レンチキュラーレンズ１２は、例えば、ポリメチルメタクリレート等の透光性のプラスチック材料を基材として形成され、水平方向の視野角を広げる機能を有する。フレネルレンズ１３は、例えば、ポリエチレンテレフタレート等の透光性のプラスチック材料を基材として形成され、画面の４隅の輝度低下を改善し画面全体のコントラストを向上する機能を有する。レンチキュラーレンズ１２はフレネルレンズ１３の前側に位置されており、フレネルレンズ１３より厚みが薄くされている。
【００１７】
枠体４の下端寄りの位置には前後に離間して左右に長い回転ローラー１４、１５が回転自在に支持され、該回転ローラー１４、１５によってスクリーン１１が挟み込まれる（図１及び図２参照）。回転ローラー１４、１５は枠体４の開口部５ａの下側に配置されており、外部から視認不能とされている。
【００１８】
回転ローラー１４、１５は、それぞれローラー部１４ａ、１５ａと該ローラー部１４ａ、１５ａの中心部に設けられた支持軸部１４ｂ、１５ｂとから成り、ローラー部１４ａ、１５ａが、例えば、ゴム等の弾性に富む材料によって形成されている（図２参照）。回転ローラー１４、１５は、支持軸部１４ｂ、１５ｂがそれぞれローラー部１４ａ、１５ａから軸方向へ突出されており、それぞれ支持軸部１４ｂ、１５ｂを介して枠体４の側壁部６ｃ、６ｃ間に支持されている。
【００１９】
回転ローラー１４、１５間の間隔Ｈは、スクリーン１１の厚みＴより稍小さくされている（図３参照）。従って、スクリーン１１が回転ローラー１４、１５によって挟み込まれた状態においては、レンチキュラーレンズ１２とフレネルレンズ１３とにそれぞれ外面側からの押圧力Ｐ、Ｐが付与された状態とされる（図４参照）。従って、レンチキュラーレンズ１２とフレネルレンズ１３との高い密着性を確保することができる。
【００２０】
レンチキュラーレンズ１２又はフレネルレンズ１３が、例えば、温度変化や湿度変化等の外部環境の変化により膨張又は収縮したときには、この膨張又は収縮に伴ってレンチキュラーレンズ１２とフレネルレンズ１３とにそれぞれ外面側からの押圧力が付与された状態で回転ローラー１４、１５が回転される。
【００２１】
枠体４の上端寄りの位置には、第１の支持手段として機能する支持部１６が設けられている（図１参照）。支持部１６は、例えば、左右に長く下方に開口された支持溝１６ａを有する形状に形成されている。支持部１６は枠体４の開口部５ａの上側に配置されており、外部から視認不能とされている。
【００２２】
支持部１６には、スクリーン１１の上端部が支持溝１６ａに挿入された状態で取り付けられる。スクリーン１１の支持部１６への取付方法としては、適宜の方法を用いることができ、例えば、支持部１６によってスクリーン１１を外面側から強く挟み込む方法、ネジ止めする方法、接着する方法等を用いることができる。
【００２３】
枠体４の下端寄りの位置には、支持軸１７、規制軸１８及びバネ掛け軸１９がそれぞれ設けられている（図５参照）。
【００２４】
枠体４の下端寄りの位置には、第２の支持手段２０として機能する張力付与手段が配置されている。張力付与手段としては、例えば、捩じりコイルバネ２１及び引張コイルバネ２２が用いられている（図５参照）。
【００２５】
捩じりコイルバネ２１は、コイル部２１ａが支持軸１７に支持され、一端部２１ｂが規制軸１８に弾接され、他端部２１ｃがレンチキュラーレンズ１２の下端部に取り付けられている。捩じりコイルバネ２１の他端部２１ｃのレンチキュラーレンズ１２への取付方法としては、適宜の方法を用いることができ、例えば、レンチキュラーレンズ１２の下端部に取付孔を形成して他端部２１ｃを挿入する方法や接着する方法等を用いることができる。
【００２６】
レンチキュラーレンズ１２は下端部が、例えば、回転ローラー１４に接した部分から斜め前方へ折り曲げられた状態とされており、捩じりコイルバネ２１によって折り曲げられた方向であるＡ方向への張力が付与されている（図１及び図５参照）。
【００２７】
尚、レンチキュラーレンズ１２の下端寄りの位置に回転ローラー１４が押し付けられているため、回転ローラー１４から上側の部分には下方への張力が付与される。
【００２８】
引張コイルバネ２２は、下端部がバネ掛け軸１９に支持され、上端部がフレネルレンズ１３の下端部に取り付けられている。引張コイルバネ２２のフレネルレンズ１３への取付方法としては、適宜の方法を用いることができ、例えば、フレネルレンズ１３の下端部に取付孔を形成して他端部を挿入する方法や接着する方法等を用いることができる。
【００２９】
フレネルレンズ１３はレンチキュラーレンズ１２と異なり下端部が折り曲げられておらず、下端部が回転ローラー１５に接した部分から下方へ突出した状態とされており、引張コイルバネ２２によって下方であるＢ方向への張力が付与されている（図１及び図５参照）。
【００３０】
上記のように、投射型表示装置１にあっては、レンチキュラーレンズ１２に張力が付与される方向とフレネルレンズ１３に張力が付与される方向とを異なる方向にしている。従って、レンチキュラーレンズ１２に張力を付与する捩じりコイルバネ２１とフレネルレンズ１３に張力を付与する引張コイルバネ２２とを、互いに干渉しない位置に配置することができる。
【００３１】
また、捩じりコイルバネ２１はレンチキュラーレンズ１２の下端部とフレネルレンズ１３の下端部との間に配置されている。このような空きスペースに捩じりコイルバネ２１を配置することにより、配置スペースの有効活用を図っている。
【００３２】
引張コイルバネ２２はフレネルレンズ１３の下方に配置されている。従って、スクリーン１１の前方及び後方に引張コイルバネ２２を配置するためのスペースを必要とせず、枠体４を薄型化することができ投射型表示装置１の薄型化を図ることができる。
【００３３】
尚、上記には、レンチキュラーレンズ１２に前斜め下方への張力を付与し、フレネルレンズ１３に下方への張力を付与した例を示したが、レンチキュラーレンズ１２とフレネルレンズ１３に張力を付与する方向はこれらの方向に限られることはなく、レンチキュラーレンズ１２及びフレネルレンズ１３の平面性が損なわれない方向であれば任意の方向への張力を付与することができる。例えば、レンチキュラーレンズ１２に張力を付与する方向を下方とする共にフレネルレンズ１３に張力を付与する方向を後斜め下方とすることや、レンチキュラーレンズ１２に張力を付与する方向を前斜め下方とする共にフレネルレンズ１３に張力を付与する方向を後斜め下方とすることが可能である。
【００３４】
以下に、枠体４への各部の組付手順について説明する（図６乃至図９参照）。
【００３５】
先ず、枠体４に、前側に位置される回転ローラー１４と支持部１６とを組み付ける（図６参照）。尚、支持部１６が枠体４に一体に形成されている場合には、支持部１６の枠体４への組付を必要としない。
【００３６】
次に、支持部１６にスクリーン１１の上端部を取り付ける（図７参照）。このときスクリーン１１を回転ローラー１４の後側に配置する。
【００３７】
次いで、レンチキュラーレンズ１２の下端部を斜め前方へ折り曲げ、枠体４に捩じりコイルバネ２１を組み付けて、レンチキュラーレンズ１２の下端部に捩じりコイルバネ２１の他端部２１ｃを取り付ける。尚、レンチキュラーレンズ１２の下端部を予め斜め前方へ折り曲げておき、このスクリーン１１の上端部を支持部１６に取り付けるようにしてもよい。
【００３８】
レンチキュラーレンズ１２に捩じりコイルバネ２１が取り付けられることにより、レンチキュラーレンズ１２に張力が付与され、レンチキュラーレンズ１２が平面に保持される（図８参照）。
【００３９】
枠体４に引張コイルバネ２２を組み付けて、フレネルレンズ１３の下端部に引張コイルバネ２２の上端部を取り付ける。引張コイルバネ２２によってフレネルレンズ１３に張力が付与され、フレネルレンズ１３が平面に保持される（図８参照）。尚、レンチキュラーレンズ１２、フレネルレンズ１３に、予め捩じりコイルバネ２１、引張コイルバネ２２を組み付けておき、この捩じりコイルバネ２１、引張コイルバネ２２を枠体４に組み付けるようにしてもよい。
【００４０】
最後に、枠体４に、回転ローラー１５を回転ローラー１４の後側に組み付ける（図９参照）。回転ローラー１５を枠体４に組み付けた状態においては、上記したように、レンチキュラーレンズ１２とフレネルレンズ１３とがそれぞれ外面側からの押圧力を付与された状態で密着される。
【００４１】
上記のようにして、スクリーン１１が第１の支持手段として設けられた支持部１６と第２の支持手段２０として設けられた捩じりコイルバネ２１及び引張コイルバネ２２とを介して枠体４に保持される。
【００４２】
投射型表示装置１において、外部環境の変化によってスクリーン１１のレンチキュラーレンズ１２とフレネルレンズ１３とが膨張又は収縮されるときには、捩じりコイルバネ２１と引張コイルバネ２２とが弾性変形され、回転ローラー１４、１５が膨張又は収縮に応じた方向へ回転される。このときレンチキュラーレンズ１２及びフレネルレンズ１３は常に張力が付与されており、レンチキュラーレンズ１２及びフレネルレンズ１３が平面に保持される。
【００４３】
従って、投射型表示装置１にあっては、外部環境の変化によってレンチキュラーレンズ１２又はフレネルレンズ１３が膨張又は収縮されても、皺や弛みが発生しないため平面性が損なわれることがなく、多重像等の画質の悪化を防止することができる。
【００４４】
また、膨張率及び収縮率の異なるレンチキュラーレンズ１２とフレネルレンズ１３とに、捩じりコイルバネ２１と引張コイルバネ２２とによって各別に張力が付与されているため、膨張率又は収縮率の相違によるスクリーン１１の部分的な浮きの発生を抑制することができ、画質の悪化を防止することができる。
【００４５】
さらに、捩じりコイルバネ２１と引張コイルバネ２２によってレンチキュラーレンズ１２とフレネルレンズ１３にそれぞれ下方への張力を付与しているため、捩じりコイルバネ２１と引張コイルバネ２２に付与される張力に加え、レンチキュラーレンズ１２とフレネルレンズ１３にこれらの自重による重力が付与されるため、同じ方向へ付与される張力と重力によって、部分的な浮きの発生を効果的に防止することができる。
【００４６】
投射型表示装置１にあっては、スクリーン１１を支持するための各部材である回転ローラー１４、１５、支持部１６、捩じりコイルバネ２１、引張コイルバネ２２が何れも枠体４に配置されるため、これらの各部材を各別に配置するための複数の部材を必要としない。
【００４７】
上記には、スクリーン１１がレンチキュラーレンズ１２とフレネルレンズ１３の２つの板状部材によって構成されている例を示したが、スクリーンは３つ以上の板状部材によって構成される場合もある。図１０に、例として、２種類のレンチキュラーレンズ１２、１２とフレネルレンズ１３とによって構成されたスクリーン１１Ａを示す。
【００４８】
一方のレンチキュラーレンズ１２は水平方向の視野角を広げる機能を有し、他方のレンチキュラーレンズ１２は垂直方向の視野角を広げる機能を有する。レンチキュラーレンズ１２、１２及びフレネルレンズ１３には、張力付与手段によって互いに異なる方向Ｃ、Ｄ、Ｅへの張力が付与されている。張力付与手段としては、例えば、上記した捩じりコイルバネ２１、引張コイルバネ２２が用いられる。
【００４９】
このように３つの板状部材によって構成されたスクリーン１１Ａを有する投射型表示装置の場合であっても、各板状部材にそれぞれ張力付与手段によって張力を付与することにより、スクリーン１１Ａの平面性を保持することができ、多重像等の画質の悪化を防止することができる。
【００５０】
尚、４つ以上の板状部材によって構成されたスクリーンを有する場合にあっても、各板状部材にそれぞれ張力付与手段によって張力を付与することにより、多重像等の画質の悪化を防止することができる。
【００５１】
以下に、回転ローラーの配置位置や配置数の変更を行った例について説明する（図１１乃至図１５参照）。尚、以下の各例の説明にあっては、上記した各部と比較して異なる部分についてのみ詳細に説明をし、その他の部分については上記と同様の部分に付した符号と同じ符号を付して説明は省略する。
【００５２】
図１１は、スクリーン１１の下端側に加え、上端側にも回転ローラー１４、１５を配置した例を示すものである。
【００５３】
枠体４の上下両端寄りの位置には、それぞれ前後に離間して左右に長い回転ローラー１４、１５、１４、１５が回転自在に支持され、該回転ローラー１４、１５、１４、１５によってスクリーン１１が挟み込まれている。回転ローラー１４、１５、１４、１５は枠体４の開口部５ａの上側又は下側に配置されており、外部から視認不能とされている。
【００５４】
レンチキュラーレンズ１２及びフレネルレンズ１３は、それぞれ上下両端部が捩じりコイルバネ２１、２１及び引張コイルバネ２２、２２に支持され、上方又は下方への張力が付与されている。
【００５５】
このように枠体４の上下両端寄りの位置にそれぞれ回転ローラー１４、１５、１４、１５を配置し、レンチキュラーレンズ１２及びフレネルレンズ１３に張力付与手段により張力を付与することによっても、スクリーン１１の平面性を保持し、多重像等の画質の悪化を防止することができる。
【００５６】
図１２は、スクリーン１１の前側に位置する回転ローラー１４のみを設け、後側に位置する回転ローラー１５を省略した例を示すものである。
【００５７】
枠体４の下端寄りの位置には、左右に長い回転ローラー１４が回転自在に支持され、該回転ローラー１４がスクリーン１１の下端寄りの位置に前方側から押し付けられている。
【００５８】
レンチキュラーレンズ１２は、下端部が回転ローラー１４に接した部分から斜め前方へ折り曲げられた状態とされており、捩じりコイルバネ２１によって折り曲げられた方向であるＦ方向への張力が付与されている。
【００５９】
フレネルレンズ１３も、下端部が回転ローラー１４に対応して位置する部分から斜め前方へ折り曲げられた状態とされており、引張コイルバネ２２によって折り曲げられた方向であるＧ方向への張力が付与されている。フレネルレンズ１３はレンチキュラーレンズ１２に比し、折曲角度が小さくされており、レンチキュラーレンズ１２の下端部とフレネルレンズ１３の下端部との間のスペースに捩じりコイルバネ２１が配置されている。
【００６０】
上記のようにレンチキュラーレンズ１２及びフレネルレンズ１３を前方側へ折り曲げることにより、レンチキュラーレンズ１２の下端寄りの部分が回転ローラー１４に押し付けられ、フレネルレンズ１３の下端部を除いた部分がレンチキュラーレンズ１２に密着される。
【００６１】
このように１つの回転ローラー１４のみを配置し、レンチキュラーレンズ１２及びフレネルレンズ１３を所定の方向へ折り曲げて張力付与手段により張力を付与することによっても、スクリーン１１の平面性を保持し、多重像等の画質の悪化を防止することができる。
【００６２】
また、回転ローラーの配置数を減らしているため、部品点数の低減を図ることができる。
【００６３】
尚、上記には、前側に位置する回転ローラー１４のみを設けた例を示したが、逆に、後側に位置する回転ローラー１５のみを設け前側の回転ローラー１４を省略してもよい。この場合には、レンチキュラーレンズ１２及びフレネルレンズ１３の折曲方向が後方側となる。
【００６４】
図１３乃至図１５は、軸方向の長さが短い複数の回転ローラー１５Ａ、１５Ａ、１５Ａを左右に離間して配置した例を示すものである。回転ローラー１５Ａ、１５Ａ、１５Ａは上記回転ローラー１５に比し、軸方向の長さが短くされており、それぞれローラー支持部材２３、２３、２３に回転自在に支持されている（図１３参照）。
【００６５】
ローラー支持部材２３は、被取付部２４と、該被取付部２４の前縁から立ち上げられた連結部２５と、該連結部２５の上端部の左右両側縁からそれぞれ前方へ突出された支持アーム部２６、２６とから成り、支持アーム部２６、２６の先端部間に回転ローラー１５Ａが回転自在に支持されている。被取付部２４にはネジ挿通孔２４ａ、２４ａが形成されている。
【００６６】
ローラー支持部材２３、２３、２３は、ネジ挿通孔２４ａ、２４ａ、・・・に挿通された取付ネジ２７、２７、・・・によって、被取付部２４、２４、２４が枠体４の下壁部６ｂに左右に離間して取り付けられる（図１４及び図１５参照）。ローラー支持部材２３、２３、２３が枠体４に取り付けられた状態においては、回転ローラー１５Ａ、１５Ａ、１５Ａがフレネルレンズ１３に後方側から押し付けられ、スクリーン１１が回転ローラー１４と回転ローラー１５Ａ、１５Ａ、１５Ａとによって挟み込まれる。
【００６７】
このように軸方向の長さが短い回転ローラー１５Ａ、１５Ａ、１５Ａを用いることによっても、スクリーン１１の平面性を保持し、多重像等の画質の悪化を防止することができる。
【００６８】
また、回転ローラー１５Ａ、１５Ａ、１５Ａが予め支持されたローラー支持部材２３、２３、２３を枠体４に取り付ければよいため、作業性の向上を図ることができる。
【００６９】
尚、上記には、ローラー支持部材２３、２３、２３に後側に位置される回転ローラー１５Ａ、１５Ａ、１５Ａが支持された例を示したが、逆に、前側に位置される回転ローラーを支持する複数のローラー支持部材を設け、これを枠体４に取り付けるようにしてもよく、また、前側に位置される回転ローラーを支持する複数のローラー支持部材と後側に位置される回転ローラーを支持する複数のローラー支持部材とを設け、これらを枠体４に取り付けるようにしてもよい。
【００７０】
また、上記には３つの回転ローラー１５Ａ、１５Ａ、１５Ａを用いた例を示したが、回転ローラーの数は任意に設定することができ、例えば、上記した軸方向の長さが長い１つの回転ローラー１４や１つの回転ローラー１５を支持するローラー支持部材を設け、これらを枠体４に取り付けるようにしてもよい。
【００７１】
以上に説明した各例においては、回転ローラーを枠体４の上端側、下端側に配置した例を示したが、回転ローラーの配置位置はこれらの位置に限られることはなく、枠体４の上下左右どの位置に配置してもよく、例えば、左右両側又は左右何れかの側に配置することが可能である。回転ローラーを左右両側又は左右何れかの側に配置する場合には、回転ローラーをその軸方向が上下方向となるように配置し、張力付与手段によってレンチキュラーレンズ１２及びフレネルレンズ１３に左右方向への張力が付与されるようにする。
【００７２】
また、レンチキュラーレンズ１２及びフレネルレンズ１３への張力を、上下方向に付与することに加え、左右方向にも付与するようにしてもよい。
【００７３】
さらに、張力付与手段として、捩じりコイルバネ２１及び引張コイルバネ２２の双方を用いる必要はなく、張力付与手段として捩じりコイルバネ２１、２１、・・・のみを複数設けてもよく、引張コイルバネ２２、２２、・・・のみを複数設けてもよい。
【００７４】
さらには、張力付与手段は捩じりコイルバネ２１、引張コイルバネ２２に限られることはなく、例えば、板バネやゴム等の弾性材料によって形成された各種の部材を用いることが可能である。
【００７５】
加えて、上記には、レンチキュラーレンズ１２又はフレネルレンズ１３の端部を折り曲げて張力付与手段として設けられた捩じりコイルバネ２１と引張コイルバネ２２とを互いに干渉しない位置に配置するようにしているが、例えば、捩じりコイルバネ２１と引張コイルバネ２２の配置位置を左右方向にずらして配置することにより、互いの干渉を回避するようにしてもよい。この場合には、捩じりコイルバネ２１と引張コイルバネ２２とによってレンチキュラーレンズ１２とフレネルレンズ１３に互いに異なる方向への張力を付与する必要はなく、同じ方向への張力を付与することができる。
【００７６】
また、上記には、スクリーン１１を、レンチキュラーレンズ１２とフレネルレンズ１３、又は、レンチキュラーレンズ１２、１２とフレネルレンズ１３とによって構成した例を示したが、スクリーンの構成要素としてレンチキュラーレンズとフレネルレンズに限られることはなく、例えば、拡散板や保護用のガラスレンズ等の各種のものが含まれる。
【００７７】
但し、スクリーンの構成がレンチキュラーレンズ１２とフレネルレンズ１３を含む場合には、特に、部分的な浮きによる画質の悪化が問題とされるため、レンチキュラーレンズ１２とフレネルレンズ１３とを有するスクリーン１１、１１Ａを備えた投射型表示装置１に本発明を適用することにより、画質の悪化を効果的に防止することができる。
【００７８】
尚、上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【００７９】
【発明の効果】
以上に記載したところから明らかなように、本発明スクリーンの支持構造は、複数の板状部材が積層状に配置されて成るスクリーンの支持構造であって、スクリーンの相対する縁部をそれぞれ支持する第１の支持手段及び第２の支持手段と、スクリーンの少なくとも一方の外面に、軸方向が上記縁部に沿う方向で押し付けられる回転ローラーとを備え、少なくとも一方の上記支持手段を、スクリーンの各板状部材毎に回転ローラーが回転する方向への張力を付与する複数の張力付与手段によって構成したことを特徴とする。
【００８０】
従って、外部環境の変化によって各板状部材が膨張又は収縮されても、皺や弛みが発生しないため平面性が損なわれることがなく、多重像等の画質の悪化を防止することができる。
【００８１】
また、膨張率及び収縮率の異なる各板状部材に各別に張力を付与しているため、膨張率又は収縮率の相違によるスクリーンの部分的な浮きの発生を抑制することができ、画質の悪化を防止することができる。
【００８２】
請求項２に記載した発明にあっては、上記スクリーンを外部に臨ませるための開口部を有しスクリーンを取り囲むようにして配置される枠体を設け、スクリーンを第１の支持手段及び第２の支持手段を介して枠体に保持し、枠体に回転ローラーを支持したので、スクリーンを支持するための各部材を各別に配置するための複数の部材を必要としない。
【００８３】
請求項３に記載した発明にあっては、上記スクリーンを、それぞれ上記板状部材として設けたレンチキュラーレンズとフレネルレンズとによって構成したので、特に、部分的な浮きによる画質の悪化が問題とされる構成において、画質の悪化を効果的に防止することができる。
【００８４】
請求項４に記載した発明にあっては、上記張力付与手段によって、スクリーンに下方への張力を付与するようにしたので、各板状部材に付与される張力に加え、各板状部材にこれらの自重による重力が付与されるため、同じ方向へ付与される張力と重力によって、浮きの発生を効果的に防止することができる。
【００８５】
請求項５に記載した発明にあっては、上記複数の張力付与手段によって、各板状部材に互いに異なる方向への張力を付与するようにしたので、各板状部材にそれぞれ張力を付与する各張力付与手段を互いに干渉しない位置に配置することができる。
【００８６】
請求項６に記載した発明にあっては、上記回転ローラーを一対設け、該一対の回転ローラーによってスクリーンをその外面側から挟み込むようにしたので、板状部材の高い密着性を確保することができる。
【００８７】
本発明投射型表示装置は、光源部から出射された光を投射して画像を表示する投射型表示装置であって、複数の板状部材が積層状に配置されて成るスクリーンと、該スクリーンの相対する縁部をそれぞれ支持する第１の支持手段及び第２の支持手段と、スクリーンの少なくとも一方の外面に、軸方向が上記縁部に沿う方向で押し付けられる回転ローラーとを備え、少なくとも一方の上記支持手段を、スクリーンの各板状部材毎に回転ローラーが回転する方向への張力を付与する複数の張力付与手段によって構成したことを特徴とする。
【００８８】
従って、外部環境の変化によって各板状部材が膨張又は収縮されても、皺や弛みが発生しないため平面性が損なわれることがなく、多重像等の画質の悪化を防止することができる。
【００８９】
また、膨張率及び収縮率の異なる各板状部材に各別に張力を付与しているため、膨張率又は収縮率の相違によるスクリーンの部分的な浮きの発生を抑制することができ、画質の悪化を防止することができる。
【００９０】
請求項８に記載した発明にあっては、上記スクリーンを外部に臨ませるための開口部を有しスクリーンを取り囲むようにして配置される枠体を設け、スクリーンを第１の支持手段及び第２の支持手段を介して枠体に保持し、枠体に回転ローラーを支持したので、スクリーンを支持するための各部材を各別に配置するための複数の部材を必要としない。
【００９１】
請求項９に記載した発明にあっては、上記スクリーンを、それぞれ上記板状部材として設けたレンチキュラーレンズとフレネルレンズとによって構成したので、特に、部分的な浮きによる画質の悪化が問題とされる構成において、画質の悪化を効果的に防止することができる。
【００９２】
請求項１０に記載した発明にあっては、上記張力付与手段によって、スクリーンに下方への張力を付与するようにしたので、各板状部材に付与される張力に加え、各板状部材にこれらの自重による重力が付与されるため、同じ方向へ付与される張力と重力によって、浮きの発生を効果的に防止することができる。
【００９３】
請求項１１に記載した発明にあっては、上記複数の張力付与手段によって、各板状部材に互いに異なる方向への張力を付与するようにしたので、各板状部材にそれぞれ張力を付与する各張力付与手段を互いに干渉しない位置に配置することができる。
【００９４】
請求項１２に記載した発明にあっては、上記回転ローラーを一対設け、該一対の回転ローラーによってスクリーンをその外面側から挟み込むようにしたので、板状部材の高い密着性を確保することができる。
【図面の簡単な説明】
【図１】図２乃至図１５と共に本発明の実施の形態を示すものであり、本図は投射型表示装置を一部を断面にして示す概略側面図である。
【図２】一対の回転ローラーが配置された状態を示す枠体の斜視図である。
【図３】回転ローラー間の間隔とスクリーンの厚みとの関係を示す概念図である。
【図４】スクリーンが回転ローラーによって挟み込まれた状態を示す概念図である。
【図５】各部が配置された枠体の下端側の部分を一部を断面にして示す拡大側面図である。
【図６】図７乃至図９と共に枠体への各部の組付手順を示すものであり、本図は前側の回転ローラーが組み付けられた状態を一部を断面にして示す側面図である。
【図７】図６に引き続き、スクリーンが組み付けられた状態を一部を断面にして示す側面図である。
【図８】図７に引き続き、レンチキュラーレンズ及びフレネルレンズにそれぞれ張力が付与された状態を一部を断面にして示す側面図である。
【図９】図８に引き続き、後側の回転ローラーが組み付けられ、組付作業が完了した状態を一部を断面にして示す側面図である。
【図１０】２つのレンチキュラーレンズと１つのフレネルレンズを構成要素とするスクリーンを有する場合の例を、一部を断面にして示す拡大側面図である。
【図１１】図１２乃至図１５と共に回転ローラーの配置位置や配置数を変更した例を示すものであり、本図は枠体の上端側と下端側に回転ローラーを配置した例を一部を断面にして示す側面図である。
【図１２】スクリーンの前側に位置する回転ローラーのみを配置した例を一部を断面にして示す拡大側面図である。
【図１３】図１４及び図１５と共に軸方向の長さが短い複数の回転ローラーを配置する例を示すものであり、本図はローラー支持部材を回転ローラーを支持した状態で示す拡大斜視図である。
【図１４】各部が配置された枠体の下端側の部分を一部を断面にして示す拡大側面図である。
【図１５】複数の回転ローラーが配置された状態を示す枠体の斜視図である。
【符号の説明】
１…投射型表示装置、４…枠体、５ａ…開口部、１１…スクリーン、１２…レンチキュラーレンズ、１３…フレネルレンズ、１４…回転ローラー、１５…回転ローラー、１６…第１の支持手段、２０…第２の支持手段、２１…捩じりコイルバネ（張力付与手段）、２２…引張コイルバネ（張力付与手段）、１１Ａ…スクリーン、１５Ａ…回転ローラー
【図１】
2004053638.tif 000003
【図２】
2004053638.tif 000004
【図３】
2004053638.tif 000005
【図４】
2004053638.tif 000006
【図５】
2004053638.tif 000007
【図６】
2004053638.tif 000008
【図７】
2004053638.tif 000009
【図８】
2004053638.tif 000010
【図９】
2004053638.tif 000011
【図１０】
2004053638.tif 000012
【図１１】
2004053638.tif 000013
【図１２】
2004053638.tif 000014
【図１３】
2004053638.tif 000015
【図１４】
2004053638.tif 000016
【図１５】
2004053638.tif 000017